(57)【特許請求の範囲】
【請求項１】
一つの成形又は一体化された製剤中に、成分が異なりかつ含水量が異なることによって、異なる複数の種類の害虫、もしくは異なる複数の発育段階にある害虫について誘引性が異なる害虫誘引組成物が、混ざり合うことなく別々に存在している組合せ害虫誘引剤を用いることにより、異なる複数の種類の害虫、もしくは異なる複数の発育段階にある害虫を誘引することを特徴とする害虫誘引方法。
【請求項２】
前記一つの成形又は一体化された製剤中に混ざり合うことなく別々に存在している害虫誘引組成物の内の少なくとも一種が動物性食餌成分を主として含む害虫誘引組成物であり、他の少なくとも一種が植物性食餌成分を主として含む害虫誘引組成物であることを特徴とする請求項１記載の害虫誘引方法。
【請求項３】
前記一つの成形又は一体化された製剤中に混ざり合うことなく別々に存在している害虫誘引組成物の内の少なくとも一種が動物性の誘引促進物を含む害虫誘引組成物であり、他の少なくとも一種が植物性の誘引促進物を含む害虫誘引組成物であることを特徴とする請求項１記載の害虫誘引方法。
【請求項４】
請求項１ないし請求項３のいずれか１項記載の害虫誘引方法で用いる組合せ害虫誘引剤の少なくとも一種の前記害虫誘引組成物に害虫防除毒餌成分を配合した組合せ害虫防除毒餌剤を用いることを特徴とする害虫防除方法。
【発明の詳細な説明】
【０００１】
【発明の属する技術分野】
本発明は、ゴキブリ、アリ等の害虫を誘引、防除あるいは殺虫するための害虫誘引剤及び害虫防除毒餌剤を用いる害虫誘引方法及び害虫防除方法に関し、特にゴキブリに対し、その種類、発育段階に応じても有効に作用し得る害虫誘引剤及び害虫防除毒餌剤を用いる害虫誘引方法及び害虫防除方法に関する。
【０００２】
【従来の技術】
ゴキブリ、アリ等の害虫の食餌に対する嗜好は、害虫の種類によって異なることはもとより、同種の害虫でも発育段階によってことなる等様々である。このため従来より、ゴキブリ、アリ等の害虫を誘引、防除あるいは殺虫するための手段の一つとして、害虫が好んで食べる食餌中に害虫誘引成分を含ませた害虫誘引剤や誘引成分と共に害虫防除成分を含ませた害虫防除毒餌剤は知られている。特にゴキブリ等屋内に生息する害虫に対しては、例えば、屋内にハウス型の粘着式捕獲容器、単に平面に粘着剤を塗布したフラット型の粘着式捕獲容器を設置し、その中に害虫誘引剤を収納して捕獲する手段が知られている。また、アリ等の害虫に対しては、例えば、雨水や湿気等による濡れや過度の加湿を防ぎ、風による飛散を防ぎ、害虫が防除毒餌剤に接触し、それを外部へ運搬するための出入り口を設けた容器内に害虫防除毒餌剤を置き、アリが該毒餌剤に接触し、それを外部へ運搬し巣へ持ち帰らせてコロニー全体を崩壊させる手段が知られている。
【０００３】
ところが、ゴキブリのように、繁殖が著しい場合一時期に様々な発育段階にある個体が存在して個体により嗜好性に違いがある、あるいは種類により嗜好性に違いがある等、個体群中の各個体に嗜好の多様性があるため、画一的な害虫誘引剤や害虫防除毒餌剤では十分な効果を得ることが難しいという事情がある。
本発明者らは、害虫の嗜好性を利用する害虫防除における害虫防除効果を高めるために、前記状況に基づいて誘引活性を高めるため種々の方策を検討し、組成が異なる害虫誘引組成物、例えば味付けの異なる害虫誘引組成物の製剤（害虫誘引製剤あるいは単に製剤ということもある。）を二種以上用意し、それを同一場所に置くか、あるいは別々に近接した二箇所以上の場所に置くと、十分満足しうる害虫誘引活性が得られることを見出した。
本発明者らは、さらに研究を進め、異なる組成の製剤として動物性食餌成分を含有する製剤と植物性食餌成分を含有する製剤とを組み合わせてなる害虫誘引剤を開発し、あるいはそれを害虫誘引殺虫剤とし、それら害虫誘引剤（あるいは害虫誘引殺虫剤）を互いに近接した場所にそれぞれ別々に置く害虫誘引駆除方法を開示した（特開平４−２３０６１０号公報）。さらに本発明者らは、動物性食餌成分を含有する製剤”と”植物性食餌成分を含有する製剤”といった食餌の”成分”の差ではなく、極端な場合単一成分の食餌であっても、害虫誘引性（嗜好性）が異なる食餌を組み合わせると害虫の誘引に効果があることを見出した。
【０００４】
【発明が解決しようとする課題】
組成が異なる害虫誘引組成物、例えば効果があるとされる”動物性食餌成分を含有する製剤”と”植物性食餌成分を含有する製剤”を二種以上用意し、あるいは害虫の嗜好が異なる食餌を二種以上用意し、それらを別々に近接した二箇所以上の場所に置くことは、手間や費用の問題があり、実用的には害虫誘引駆除の問題を完全に解決したといえず、さらに、より効率的に使用でき、かつ安価な製剤を提供することが望まれる。
【０００５】
【課題を解決するための手段】
本発明者らは、前記害虫誘引駆除の問題を完全に解決するためにさらに検討を重ねた結果、十分な害虫誘引活性を有する製剤であり、かつ該製剤の製造は複数の製剤を製造するより簡単で廉価に製造でき、該製剤を一箇所に設置することで所望の害虫駆除が可能である製剤を開発し、前記課題を解決した。
【０００６】
すなわち、
（１）一つの成形又は一体化された製剤中に、成分が異なりかつ含水量が異なることによって、異なる複数の種類の害虫、もしくは異なる複数の発育段階にある害虫について誘引性が異なる害虫誘引組成物が、混ざり合うことなく別々に存在している組合せ害虫誘引剤を用いることにより、異なる複数の種類の害虫、もしくは異なる複数の発育段階にある害虫を誘引することを特徴とする害虫誘引方法。
（２）前記一つの成形又は一体化された製剤中に混ざり合うことなく別々に存在している害虫誘引組成物の内の少なくとも一種が動物性食餌成分を主として含む害虫誘引組成物であり、他の少なくとも一種が植物性食餌成分を主として含む害虫誘引組成物であることを特徴とする前記（１）記載の害虫誘引方法。
（３）前記一つの成形又は一体化された製剤中に混ざり合うことなく別々に存在している害虫誘引組成物の内の少なくとも一種が動物性の誘引促進物を含む害虫誘引組成物であり、他の少なくとも一種が植物性の誘引促進物を含む害虫誘引組成物であることを特徴とする前記（１）記載の害虫誘引方法。
（４）前記（１）ないし（３）のいずれか１項記載の害虫誘引方法で用いる組合せ害虫誘引剤の少なくとも一種の前記害虫誘引組成物に害虫防除毒餌成分を配合した組合せ害虫防除毒餌剤を用いることを特徴とする害虫防除方法。
【０００７】
本発明の前記組合わせ害虫誘引剤及び組合わせ害虫防除毒餌剤において、”成分が異なる組成物が一つの製剤中に混ざり合うことなく、別々に存在する”ということは、害虫誘引剤について説明すれば、組合わせ害虫誘引剤を構成する各害虫誘引組成物は、それぞれ後述する蛋白質、炭水化物、脂質の食餌成分の他、誘引物質、増量剤、酸化防止剤、保存剤、誤食防止剤などの成分を、要すれば結合剤と混練して補強し、成形し易くし、後述するように例えば円盤状に、あるいは紐状に、あるいは粒状に成形され（このように成形された各組成物のそれぞれを構成組成物とよぶことがある。）、成形された構成組成物は二種以上組合わされて”組合わせ害虫誘引剤”を形成するので、”各組成物は一つの製剤中に混ざり合うことなく、別々に存在する”ということである。この場合、構成組成物は前記食餌成分、誘引物質、増量剤、酸化防止剤、保存剤、結合剤、着色剤、誤食防止剤などの成分を全部含んでいる必要はなく、例えば蛋白質という一食餌成分のみからなるものであっても良い。
前記構成組成物を組合わせ、組合わせ害虫誘引剤に成形する手段を例示すると、例えば図２に示すように、前記紐状に成形した構成組成物の三種（構成組成物１、２、３）を「放射状」に組合わせて製剤する。また、例えば図３に示すように、円盤状に成形した構成組成物の上に粒状（小型の円盤状）構成組成物を載せて形成する組合わせ害虫誘引剤とする。また、例えば図４に示すように、円盤状に成形した構成組成物の中に粒状に成形した構成組成物を「モザイク」状に埋め込んで製剤する。さらにまた、例えば図５に示すように、筒状の型の中に二種の構成組成の生地を同種のものが相対するように詰め、この組合わせ生地を筒状の型から絞り出して上部が尖った「絞り」型に製剤する等である。ここで、前記製剤された組合わせ害虫誘引剤のそれぞれにおいて、粒状構成組成物と円盤状構成組成物間、あるいは三種の紐状構成組成物間の相互に接触している部分で各構成組成物の成分が、害虫誘引剤が実用されている期間中に、実質的に相互に混ざり合うことがなければ良い。
【０００８】
また、本発明の前記害虫誘引剤及び害虫防除毒餌剤において、”成分が異なり、かつ含水量が異なる害虫誘引組成物が、混ざり合うことなく別々に存在している”ということは、害虫誘引剤について説明すれば、前記各構成組成物の成分が実用されている期間中に実質的に相互に混ざり合わないと共に、各構成組成物に含まれている含水量が実質的に変化しないか、あるいは相対的な差を保っているということである。
このことをさらにより具体的な例によって説明すれば、例えば澱粉からなる円盤状害虫誘引構成組成物の上にゼリー状蛋白質あるいはゼリー状糖質からなる粒状害虫誘引構成組成物を載せてなる組合わせ害虫誘引剤である場合、害虫誘引剤が実用されている期間中に実質的に蛋白質粒状害虫誘引構成組成物が実質的にゼリー状を保ち、ゼリー状であるが故の害虫誘引効果を維持することができるということを意味する。勿論組合わせ害虫誘引剤を構成している各構成組成物が常に環境中の湿度と平衡する相対的な含水量を保つことが理想的であることはいうまでもない。
【０００９】
また、前記本発明の組合わせ害虫誘引剤をより明らかにするため、「組合わされた複数の害虫誘引組成物の内の少なくとも一種が動物性食餌成分を主として含む害虫誘引組成物であり、他の少なくとも一種が植物性食餌成分を主として含む害虫誘引組成物である」という前記（３）項に記載の組合わせ害虫誘引剤を例として以下に説明する。すなわち、動物性食餌成分と植物性食餌成分とを混合して別の一種の害虫誘引組成物を構成するという場合もある。このような場合、臭い、味等の誘引効果には動物性食餌成分の影響が強く発揮されることが多い。しかし性格が中間的性格を示す害虫誘引組成物となる場合も生じ得る。本発明の組合わせ害虫誘引剤はその構成組成物中に中間的性格の害虫誘引組成物を有していても構わない。  一般的には、動物性食餌成分から成る害虫誘引組成物と植物性食餌成分から成る害虫誘引組成物とが組合わされた構成となるのが良い。
【００１０】
本発明の前記（４）項に記載した組合わせ害虫防除毒餌剤は、前記（１）項  〜（３）項に記載した組合わせ害虫誘引剤を用いて、その組合わせ害虫誘引剤を構成するどれか一つの害虫誘引組成物に害虫防除毒餌成分を配合したものであれば良い。勿論前記（１）項  〜（３）項に記載したすべての組合わせ害虫誘引剤において、組合わせ害虫誘引剤を構成するすべての害虫誘引組成物中に害虫防除毒餌成分を配合することは好ましいことである。また、各構成害虫誘引組成物の成分中に配合する害虫防除毒餌成分の種類や量は、異なっていても同じであっても良い。
【００１１】
本発明の動物性食餌成分としては動物性タンパク質や動物性脂質などがある。これらは食餌の基材として用いることもできる。
動物性タンパク質としては、例えばアクチン、アルブミン、カゼイン、フィブリン、フィブリノーゲン、ケラチン、α−グロブリン、β−グロブリン、γ−グロブリン、ヘモグロビン、ラクトグロビン、ミオシン、ペプシン、ホスホリラーゼ、フィッシュソリュブル等、あるいは、イナゴ、バッタ、カマキリ、コオロギ、ハチ、アブラムシ、ゴキブリ、キリギリス、チョウ、ガ、ハエ、オキアミ、アカムシ、ミールワーム、魚のエサ（ミミズ、ゴカイなど）や、馬、羊、山羊、うさぎ、犬、猫、魚類、貝類、卵等から得られる成分、プロリン等の各種アミノ酸、動物性タンパク質の分解物等が挙げられる。この他の物質を基材として用いる場合は、前記動物性タンパク質は基材に対して５〜２０％程度添加するのが好ましい。
本発明の動物性脂質としてはどのようなものを用いても良く、動物油のような油状物（加温により油状となるものを含む）の中の少なくとも一種以上を適宜用いることができる。例えば、哺乳類油である体脂、バター脂、脚脂等、さらに鳥類、爬虫類、両生類、魚類、昆虫等の生物体より得られる各種油脂、さらに卵油、酵母や細菌等の微生物由来の油脂等が挙げられる。
これらは単独もしくは二種以上混合して用いることができる。さらに摂食を促進するサナギ、オキアミ、エビ、イワシ、ウニ、カツオ、ビーフ、キチン、ポーク等があり、これらを前記の動物性食餌成分と一緒に用いることができ、これら自身を動物性食餌成分として用いることもできる。
【００１２】
本発明の植物性食餌成分としては、炭水化物、植物性タンパク質や植物性脂質などがある。これらは食餌の基材として用いることもできる。炭水化物としては、例えば果汁、ハチミツ、廃糖蜜、マルチトース、異性果糖、ショ糖、砂糖きび、パラチノース、トレハロース、ソホロース、コウジニオール、ツラノース、ラミナリビオース、ニゲエロース、マルトース、セロビオース、ラクトース、キシロビオース、ロイクロース、ゲンチオビオース、イソマルトース、メルビオース、ルチノース、プリムベロース、ビシアノース、ロビノース、Ｄ−グルコース、Ｎ−アセチル−Ｄ−グルコサミン、Ｄ−ガラクトース、Ｄ−ガラクツロン酸、Ｄ−マンノース、Ｄ−キシロース、Ｄ−フルクトース、Ｌ−アラビノース、Ｄ−グルクロン酸、Ｄ−グルコサミン、Ｌ−フルクトース、グリセロース、アミロース、アミロペクチン、でんぷん、でんぷん加水分解物、コーンジャーム粕などの胚芽搾油粕等が挙げられる。
また、植物性タンパク質としては、エデスチン、ゼイン、グリアジン、アラチン（落花生）、グロブリン（カボチャ種子、小麦フスマ）、ツェイン（小麦粉）、グルテン（小麦、トウモロコシ）、ファゼオリン（ソラマメ）、大豆等から得られるもの等があげられる。
植物性油脂としてはどのようなものを用いても良く、植物油等の油状物（加温により油状となるものを含む）の中の少なくとも一種以上を適宜選択して用いれば良い。例えば、木ロウ、カカオ脂、ヤシ油、大風子油等の植物脂、ヒマシ油、オリーブ油、落花生油などの不乾性油、大豆油、トウモロコシ油、ナタネ油、ゴマ油、綿実油等の半不乾性油、アマニ油、キリ油、麻実油、エノ油などの乾性油が挙げられる。
また、摂食を促進する物質として、カボチャ、トウモロコシの乾燥体、マッシュルーム、シイタケ、コンブ、キャベツ、タマネギの粉末及びそのエキス単独もしくは混合物等があり、これらを前記植物性食餌成分と一緒に用いることもでき、前記の粉末はそれ自体植物性食餌成分として用いることもできるものであって、摂食促進物質と植物性食餌成分とを兼ねることができる。
【００１３】
前記動物性食餌成分または植物性食餌成分は、それぞれ一種のみを用いても良いし、また二種以上用いても良く、またタンパク質、炭水化物及び脂質から選ばれたものを適当な比率において配合した組成物であっても良い。
必要によりそれぞれの摂食を促進する物質と混合して使用しても良い。この時摂食を促進する物質の添加割合は、各食餌成分に対して０．１〜９０ｗｔ％、好ましくは１〜５０ｗｔ％の範囲とすることができる。
【００１４】
また、これらと併用できる害虫誘引物質としては、例示すれば、例えば脂肪酸のメチルまたはエチルエステル、飽和または不飽和アルコール、非還元性デンプン加水分解物、シクロヘキシル基を持つカルボン酸エステル、芳香性を持つ脂肪酸ケトン、アルコール、アルデヒド、ラクトン、エステル、アロエまたはユーカリ植物およびその抽出物、炭素数７ないし９のケトン、バニリン、エチルバニリン、イソバニリン、ピペロナール、ピペロナールアセトン、２，６−ノナジエーテルなど、また例えば道しるべフェロモンとして知られるもの、すなわち、（３Ｓ，４Ｒ，６Ｅ，１０Ｚ）−３，４，７，１１−テトラメチル−トリデカ−６，１０−ジエナール、（Ｚ）−９−ヘキサデセナール、２，５−ジメチルピラジン、３−メチル−２，５−ジメチルピラジン、Ｚ，Ｅ−α−フラネセン、Ｅ，Ｅ−α−フラネセンなどが挙げられ、その使用量は０〜５ｗｔ％である。
【００１５】
増量剤としては、例えばホワイトカーボン、珪藻土、結晶セルロース、クレー、カオリン、タルク、ベントナイト、ゼオライト、セピオライト、アタパルジャイトなどが挙げられ、その使用量は０から１０重量％である。
さらに、前記食餌成分、摂食を促進する物質、害虫誘引物質や増量剤と共に、製剤のためにはこの他必要に応じ、酸化防止剤、結合剤、吸収剤、保存剤、誤食防止剤そして害虫に対する誘引性を増強する香料などを添加してもよい。
酸化防止剤としては、例えばエリソルビン酸、エリソルビン酸ナトリウム、ジブチルヒドロキシトルエン、ｄｌ−α−トコフェロール、ノルジヒドログアヤレチック酸、メチルヒドロキシアニソール、没食子酸プロピル、グアヤク酸、１−システイン塩酸塩などが挙げられ、保存剤としては、例えば安息香酸、安息香酸ナトリウム、サリチル酸ジフェニル、サリチル酸、ソルビン酸、ソルビン酸カリウム、デヒドロ酢酸、デヒドロ酢酸ナトリウム、パラオキシ安息香酸イソブチル、パラオキシ安息香酸イソプロピル、パラオキシ安息香酸エチル、パラオキシ安息香酸ブチル、パラオキシ安息香酸プロピル、プロピオン酸カルシウム、プロピオン酸ナトリウムなどが挙げられる。
【００１６】
結合剤としては、アラビアゴム、アラビアガム末、カルボキシメチルセルロース、結晶セルロース、ゼラチン、デキストリン、ヒドロキシプロピルスターチ、ポリオキシエチレンポリビニルアルコール、ヒドロキシプロピルメチルセルロース、シリコン樹脂、メタアクリル酸コポリマー等の高分子化合物が挙げられ、この他グリセリン、ワセリン、パラフィン類、ポリエチレングリコール（４００、１５００、４０００、６０００）、ヒマシ油、ダイズ油等の低分子化合物も使用できる。ここで、グリセリンやヒマシ油、ダイズ油等の液状物は他の結合剤と混合して使用することが望ましい。また、ヒマシ油、ダイズ油等は誘引物質として兼用することもできる。
吸収剤としては、ホワイトカーボン、軽質ケイ酸、α−デンプン等が挙げられる。
【００１７】
また、誤食防止剤としては、例えば安息香酸デナトニウム、アセチル化ショ糖、トウガラシ末などが挙げられる。
香料としては、例えばチーズ香料、バター香料、ピーナッツ香料、ピーチ香料、ストロベリー香料、ミルク香料、メイプル香料、シナモン香料などが挙げられる他、うまみ成分の香料（例えばツクネ風味、ヤキニク風味、ピザ風味など）などが挙げられる。
着色剤としては、例えば昭和４１年８月３１日付厚生省例第３０号の別表第１、２および３に記載されているものが挙げられる。長期間色調が安定であるものが良く、安定な色素としてはクロロフィル、リボフラビン、アンナット、カンタキサンチン、クロシン、コチニール、ベニバナ、パプリカ色素、アントラキノンなどの食品添加物として認められている天然色素が挙げられる。
これら酸化防止剤、結合剤、吸収剤、保存剤、誤食防止剤そして害虫に対する誘引性を増強する香料の使用量は、０〜５ｗｔ％である。
【００１８】
前記の一種あるいは二種以上の動物性食餌成分または植物性食餌成分（これらの食餌成分は摂食を促進する物質を含有したものも含む。）は、前記酸化防止剤、結合剤、吸収剤、保存剤、誤食防止剤、害虫に対する誘引性を増強する香料等を必要に応じて所望の配合割合に添加した後、混合、練合せて害虫誘引組成物（前記構成組成物）とする。この際、本発明の場合は、例えば動物性食餌成分からなる動物性害虫誘引組成物と植物性食餌成分からなる植物性害虫誘引組成物は別に成形することとし、また、同じ動物性食餌成分を主とする動物性害虫誘引組成物であっても、一方は乾燥して水分含有量の少ない、一方は乾燥せず水分含有量の多い組成物とする。
【００１９】
以下に、例えば前記動物性食餌成分を主とする動物性害虫誘引組成物や水分含有量の多い動物性害虫誘引組成物のような構成組成物を組合わせて製剤する”組合わせ害虫誘引剤”の製剤方法について説明する。
Ａ）金太郎飴状製剤：
中心の円形口金部分から、それに連なるエクストルーダによって、混練物の状態にある植物性食餌成分を主とする植物性害虫誘引組成物を押し出し、これと同心円状に配置した円弧状の口金部分から、それに連なるエクストルーダによって、混練物の状態にある動物性食餌成分を主とする動物性害虫誘引組成物を押し出し、これら口金の延長部分で合一化して口金の出口から金太郎飴状の成形物を押し出し成形する。押し出された成形品を所定の長さに切り離して製剤する。また、要すれば製剤された粒子を乾燥しても良い。図１の（ａ）に金太郎飴状に製剤された薬剤の斜視図を、（ｂ）にその正面図を示した。
Ｂ）放射状製剤：
棒状（あるいは紐状）に押し出し成形した構成組成物を複数本（構成組成物の異なった成分は食餌成分でも、水含有量でも、また摂食を促進する物質が異なっていても良い。）織り合わせ、柱状の組合わせ成形体を成形し、所定の長さに切り離して製剤する。図２の（ａ）に構成組成物１、２、３を放射状に製剤した薬剤の斜視図を、（ｂ）にその正面図を示した。
【００２０】
Ｃ）重層円盤状製剤：
太い棒状に押し出し成形した構成組成物を所定の長さに切り離して円盤状の構成組成物とする。別に、水溶性高分子、例えばゼラチン、ペクチンやアミローズのようなものを水に溶解し、この溶液に食餌成分、酸化防止剤、保存剤、誤食防止剤、害虫に対する誘引性を増強する香料等を必要に応じて添加し、ゲル化しつつ押し出し成形して細い棒状に押し出し成形した構成組成物を所定の長さに切り離して偏平な粒状（小型円盤状）の構成組成物とする。前記円盤状の構成組成物の上にゲル状の小型円盤状構成組成物をおいて一体化し、製剤する。図３に製剤されたものの斜視図を示した。
Ｄ）モザイク状製剤：
予め顆粒状に成形した動物性害虫防除毒餌組成物、あるいは粒状でゼリー状の動物性害虫防除毒餌組成物を混練物の状態にある植物性食餌成分を主とする植物性害虫誘引組成物の中に分散させて、押し出し機によって混練物を押し出し成形し、粒状の構成組成物がモザイク状に分散して埋め込まれた成形物を所定の長さに切り離して製剤する。図４に製剤されたものの斜視図を示した。あるいはまた、粉末状態にある植物性食餌成分を主とする組成物の中に前記顆粒状の動物性食餌成分を分散せず打錠成型しても良い。
Ｅ）絞り型製剤：
筒状の型の中に、混練物の状態にある動物性食餌成分から成る動物性害虫誘引組成の生地と植物動物性食餌成分から成る植物性害虫誘引組成の生地とを同種のものが相対するように詰め、筒状の型の上から生地を押して適当な台の上に押し出しながら筒状の型を引き上げると上部が尖った「絞り」型に製剤することができる。図５に製剤されたものの斜視図を示した。
次の顆粒混合製剤の場合は本発明に含まれるものではないが、参考のため記載する。
Ｆ）顆粒混合製剤：
予め顆粒状に成形した動物性誘引剤組成物と、同様に予め顆粒状に成形した植物性誘引剤組成物とを混合して形成した顆粒混合製剤であって、両方の顆粒を所定の割合で混合したものを小孔を有するポリエチレン等の袋に入れたものを１つの製剤とする。これらの顆粒は、その種類を区別することができるように色分けしておくことが好ましい。また、これらの顆粒は風味をつけておくと、その誘引性がさらに優れたものとなる。図７にそれぞれを合計して４種類とした顆粒４、５、６、７を混合して小さい孔９を設けたポリエチレン製の袋８に入れた顆粒混合製剤の縦断面図を示す。この顆粒混合製剤はその袋を適用する場所に置くことにより使用することができる
【００２１】
水含有量が異なる構成組成物を組合わせた製剤品を製造する方法としては、前記Ｃ）重層円盤状製剤及びＤ）モザイク状製剤で示したように予め水含有量が多い構成組成物を成形しておいて、例えばより水含有量の少ない構成組成物と合体成形して製剤する方法と、吸水性の異なる成分を含む構成組成物を組合わせ製剤してから、製剤品を乾燥させて目的のものを製造する方法が採り得る。例えば、前記Ｂ）に記載の放射状製剤において、三種の棒状構成組成物共に、食餌成分は澱粉とし、うち二種の棒状構成組成物の成分には味付け剤として水アメを添加し、それ以外は三種共に酸化防止剤、誤食防止剤および害虫に対する誘引性を増強する香料を混合した後に水を添加して練合せ、それら混練物を棒状構成組成物に成形し、以下前記Ｂ）に記載のように製剤することによって水アメを添加した部分は水含有量の多い製剤が得られる。前記水含有量が異なる構成組成物を組合わせた製剤方法は具体例の一部に過ぎず、本発明はこれらの例によって制限されるものではない。
また、異なる水含有量の構成組成物からなる組合わせ害虫誘引剤や組合わせ害虫防除毒餌剤では、構成組成物の水含有量の差が大きい程、誘引活性や防除活性の差がより明確になるので好ましい。
前記Ｃ）の例において円盤状の構成組成物の水含有量は１０ｗｔ％前後であるのに対し、その上に置いた偏平な粒状体の構成組成物の水含有量は４０〜７０ｗｔ％である。異なる水含有量の構成組成物からなる製剤において構成組成物の水含有量の差をどのレベルとするかは対照とする害虫により、また、食餌剤の目的により異なるので、限定されるものではない。
【００２２】
本発明の組合わせ害虫防除毒餌剤は、製剤の成分に殺虫剤やその他の毒餌（害虫防除成分ともいう。）を構成組成物に添加すること以外に、組合わせ害虫誘引剤と大きな差異はない。勿論害虫防除成分を使用するので、同じ害虫を対照とする場合でも構成組成物の成分の種類や成分量が異なることがあるのは当然である。
本発明に用いる害虫防除成分としては、従来から知られている各種の薬剤を用いることができる。すなわち殺虫剤、または該殺虫剤とその共力剤の少なくとも一種以上を、対象害虫が摂食によりその致死量以上が体内に摂取される量を配合すればなんら制限されない。そして、該殺虫剤としては、ピレスロイド系殺虫剤、有機リン系殺虫剤、カーバメイト系殺虫剤、その他の殺虫剤および共力剤などが挙げられる。
【００２３】
ピレスロイド系殺虫剤
アレスリン、ピナミンフォルテ、バイオアレスリン、エキスリン、フタルスリン、ｄ−Ｔ８０−フタルスリン、レスメトリン、ペルメトリン、フェノトリン、フェンバレレート、フェンプロパトリン、エンペントリン、フェンフルスリン、Ｍ−１０８Ｃ、エトック、ベンフルスリン、テフルスリン、サイフェノトリン、テラレスリン、エトフェンプロックス。
【００２４】
（２）有機リン系薬剤
ＤＤＶＰ、フェニトロチオン、ダイアジノン、マラチオン、アセフェート。
（３）カーバメイト系薬剤
バイゴン、セビン、オンコル、オリオン、インセガー、アクテリク
（４）昆虫成長調節剤
メトプレン、ハイドロプレン、ピリプロキシフェン、フェノキシカルブ。
（５）キチン合成阻害型昆虫成長調節剤
ジフルベンズロン、トリフルムロン、テフルベンズロン、クロルフルアズロン、フルフェノクスロン、ヘキサフルロン、シロマジン
（６）その他の殺虫剤
メトキサジアゾン、ヒドラメチルノン、アドマイヤー、アバメクチン、ホウ酸、スルフルラミド、ピラゾール系化合物（例Ｓ１８６６）。
【００２５】
以上のものを例示し得るが、これらに限定されるものではない。さらに前記殺虫剤および共力剤の各種異姓体、誘導体、類縁体なども含まれる。
また、例えば社会性をもつ害虫であるアリ類を例に挙げると、働きアリが巣以外の場所で餌を口にくわえたり、あるいは体内に蓄え、巣に戻ってから該餌を幼虫などに分け与える作業を行うことが知られている。この場合は該害虫防除用毒餌剤に使用された害虫防除成分が働きアリに対して、該害虫毒餌剤を餌と同様に巣に持ち帰る間は、影響を与えることがなく、さらに巣全体の過半数以上に該害虫防除用毒餌剤が及ぶ時間は影響がないものであれば良く、蓄積性のある害虫防除成分あるいは生育阻害を起こすような害虫防除成分が好ましい。
一方、ゴキブリなどでは単に摂食することで死亡、産卵抑制あるいは変態異常を引き起こすものであればよい。
薬剤のなかでより好ましいものは、遅効性に優れた成分であって、少量の摂食によって致死効果が得られるように処方された濃度（通常の使用量の１００希釈された量）にしたものを用いるのが好ましい場合もある。本発明の組合わせ害虫防除毒餌剤において、構成組成物中の食餌成分量に対する害虫防除成分の添加割合は、０．００１〜５０ｗｔ％の範囲とすることができる。
【００２６】
【作用】
本発明において、前記組合わせ害虫誘引剤や組合わせ害虫防除毒餌剤を用いることにより、
▲１▼一つの製剤中に、成分が異なる害虫誘引組成物が混ざり合うことなく別々に複数存在する。
▲２▼一つの製剤中に、成分が異なり、かつ含水量が異なる害虫誘引組成物が混ざり合うことなく別々に複数存在する。
▲３▼一つの製剤中に、害虫防除毒餌を配合されたものをともなって成分が異なる害虫誘引組成物が、混ざり合うことなく別々に複数存在する。
▲４▼一つの製剤中に、害虫防除毒餌を配合されたものをともなって成分が異なり、かつ含水量が異なる害虫誘引組成物が、混ざり合うことなく別々に複数存在する。
ということによって、様々な発育段階及び種類の害虫に対して、従来見られなかった有効な作用が発揮される。
これら組合わせ害虫誘引剤や組合わせ害虫防除毒餌剤の示す有効な作用を、▲１▼の「成分が異なる」害虫誘引組成物が、「動物性食餌成分を主に含む」害虫誘引組成物と「植物性食餌成分を主に含む」害虫誘引組成物である組合わせ害虫誘引剤を代表例として、それが示す作用により以下に説明する。
【００２７】
雑食性である害虫、例えばゴキブリは、クロゴキブリとチャバネゴキブリとでは食餌に対する嗜好性が異なることが知られている。さらに同種のゴキブリにおいても発育段階の違いによって嗜好性に違いがあるとされている。その上、害虫誘引剤と接触する前に食した食餌成分によってもその時の嗜好性が影響を受けるとされている。そのため、ゴキブリを確実に防除するには、前記したあらゆるパターンのゴキブリに対して誘引効果のある製剤を提供することが重要である。そこで、それぞれに適した誘引作用を有する食餌成分を製剤中に配合するこが好ましいとされ、従来提供された製剤は、多種多様の食餌成分を混合した製剤であった。しかし、実際にはこれらを混合することで食餌成分のもつ本来の誘引活性が十分に発揮されずにいた。また、クロゴキブリとチャバネゴキブリの食性としては、クロゴキブリが水分量が少ないややパサついた食餌を好むのに対し、チャバネゴキブリはやや湿潤な食餌を好むということも本発明者らは見出している。その他にも、チャバネゴキブリの抱卵雌はほとんど摂食せず、水のみを補給する行為が見られることも知られている。このようにゴキブリの種類、発育段階や抱卵期のような時期により誘引剤や防除毒餌剤に求められる水分量が異なり、画一的な水分量の食餌剤のみでは十分な効果が得られていなかった。
【００２８】
本発明者らは、この問題につき鋭意研究した結果、一つの製剤中に動物性食餌成分を主に含む害虫誘引組成物と植物性食餌成分を主に含む害虫誘引組成物を混ざり合うことなく、別々に存在させた組合わせ害虫誘引剤とすることによって、後に実施例１として示すように従来になく優れた誘引活性が発揮されることを確認した。
【００２９】
本発明の組合わせ害虫誘引剤や組合わせ害虫防除毒餌剤は、例えばトラップやシェルター内に置く場合では、優れた誘引活性が発揮され、例えばゴキブリが誘引されてくるので、トラップの場合はそこからゴキブリが逃げださないようにするだけの簡単な構造とするだけで良く。また、シェルターでは内部に粘着テープなどを配置しておく簡単な構造のもので捕獲することができる。さらに、それらトラップやシェルターをゴキブリの活動しそうな場所や空間に設置すれば良い。
以上ゴキブリについて説明したが、他の網翅目害虫、半翅目害虫等に対しても同様である。
【００３０】
本発明の組合わせ害虫防除毒餌剤を製剤する際の構成組成物の組合わせとして、次のような組合わせが挙げられる。すなわち、ゴキブリ防除剤として有効な昆虫成長調節剤ピリプロキシフェン（商品登録名「スミラブ」住友化学工業株式会社）と殺虫剤メトキサジアゾン（商品登録名「エレミック」住友化学工業株式会社）とを組合わせた場合、両者は反応し分解するが、両者を独立させることにより特異な機能を有する害虫防除毒餌剤として機能させることができる。
【００３１】
また、ゴキブリ誘引剤としてペリプラノンが知られているが、この誘引剤も前記したように害虫誘引剤全体に均一に混合して薄く希釈された誘引剤として使用するよりも、部分的に集中させて使用する方が誘引活性が向上するので、組合わされる構成組成物の一方のみに添加して使用する方が有利である。
【００３２】
成分が異なる害虫誘引組成物を組合わせる際の、標識となる特性としては、例えば前記したように、
（ｉ）食餌の違いを標識特性とする。すなわち、動物性食餌を多く含む組成物と植物性食餌を多く含む組成物との組合わせ。
（ii）水分含有量を標識特性とする。すなわち、水分含有量の多い組成物と水分含有量の少ない（その他の組成は同じ）組成物との組合わせ。
（iii)食餌の物理的性質の違いを標識特性とする。例えば食餌の硬さの違いを標識とする。すなわち、硬い食餌からなる組成物と柔らかい食餌からなる（成分は同じ）組成物の組合わせ。
（iv）異なる誘引成分を含む（その他の組成は同じ）組成物の組合わせ。
また、異なる害虫防除毒餌剤を組合わせる際の、標識となる特性としては、害虫誘引組成物を組合わせる際の前記標識特性〔（ｉ）〜（iv) 〕と同じであるが、異なる殺虫成分を含む（その他の組成は同じ）組成物の組合わせが挙げられる。例えば、ゴキブリの好む誘引剤とゴキブリ殺虫成分を含む構成組成物とアリの好む誘引剤とアリ殺虫成分を含む構成組成物を組合わせて”組合わせ害虫防除毒餌剤組成物”とする場合もある。
以上、種々の製剤の様式について説明したが、組合わせ害虫誘引剤においても、また組合わせ害虫防除毒餌剤組成物においても、組合わせの態様はこれらに制限されるものではない。
【００３３】
本発明の組合わせ害虫誘引剤や組合わせ害虫防除毒餌剤は、以下のような特徴を有する。
前記（ｉ）と（ii）のように食餌の特性や組成物の水分含有量の違いを標識として組合わせた害虫誘引剤や害虫防除毒餌剤は、嗜好性の異なる害虫を効果的に駆除できる。
また、異なる殺虫成分を含む（その他の組成は同じ）組成物の組合わせで製剤された”組合わせ害虫防除毒餌剤”は、異種の殺虫剤が独立した状態に保たれるので組合わせ害虫防除毒餌剤は安定なものである。
さらにまた、異種の誘引剤や殺虫剤は、それぞれの組成物の中で独立した状態に保たれるので効果が希釈されない。すなわち、異種の誘引剤や殺虫剤が一つの製剤に混合して希釈されるより、相互に独立した濃度の濃い状態に保たれる方が害虫を効果的に駆除できる。
【００３４】
【実施例】
以下に実施例により本発明を具体的に説明する。ただし、本発明はこの実施例のみに限定されるものではない。
【００３５】
参考例１
(1) 供試昆虫
１）クロゴキブリ 〔成虫〕
２）チャバネゴキブリ〔成虫〕
(2) 供試食餌
１）第１表の
製剤ａ：砂糖を主とした基材的食餌製剤
ｂ：製剤ａにサナギ粉を添加した動物性製剤製剤
ｃ：製剤ａにコンブエキス粉を添加した植物性製剤製剤
ｄ：製剤ｂと製剤ｃの１：１混合製剤製剤
ｅ：製剤ｂと製剤ｃの１：１組合わせ製剤（図６の型の薬剤）
【００３６】
【表１】
0003909779.tif 000002
【００３７】
(3) 試験方法
個別の飼育容器内に、クロゴキブリの成虫、チャバネゴキブリの成虫からなる個体群を入れ、それぞれの飼育容器内にプラスチック製容器に入れた供試食餌をおいて喫食させ、喫食性を調べた。
(4) 試験結果
上記の試験方法によって得られた試験結果を第２表に示す。
【００３８】
【表２】
0003909779.tif 000003
【００３９】
第２表によれば、  組合わせ誘引剤とした食餌はすべての個体に対し誘引効果が強く、良く喫食する。
また、供試食餌を前記第１表のものの代わりに、製剤ｂのサナギ粉の代わりにチキンパウダーとした製剤や製剤ｃコンブエキス粉の代わりにパンプキンパウダーとした製剤を用いて上記供試食餌としても（組合せ食餌の場合を含め）同様の結果が得られる。
【００４０】
実施例１
(1) 供試昆虫
１）クロゴキブリ 〔成虫〕
２）チャバネゴキブリ〔成虫〕
(2) 供試食餌
１）第３表の
製剤ｆ：デンプンを主とした基材にコンブエキス粉を添加した、水添加量の多い植物性製剤
製剤ｇ：デンプンを主とした基材にコンブエキス粉を添加した、水添加量の少ない植物性製剤
製剤ｈ：製剤ｆと製剤ｇの１：１組合わせ製剤（図６の型の薬剤）
製剤ｉ：デンプンを主とした基材にサナギ粉を添加した、水添加量の多い動物性製剤
製剤ｊ：デンプンを主とした基材にサナギ粉を添加した、水添加量の少ない動物性製剤
製剤ｋ：製剤ｉと製剤ｊの１：１組合わせ製剤（図６の型の薬剤）
【００４１】
【表３】
0003909779.tif 000004
【００４２】
(3) 試験方法
個別の飼育容器内に、クロゴキブリの成虫、チャバネゴキブリの成虫からなる個体群を入れ、それぞれの飼育容器内にプラスチック製容器に入れた供試食餌をおいて喫食させ、喫食する量を調べた。
(4) 試験結果
上記の試験方法によって得られた試験結果を第４表に示す。
【００４３】
【表４】
0003909779.tif 000005
【００４４】
第４表によれば、  組合わせ誘引剤とした食餌の方がすべての個体に対し誘引効果が強く、喫食量が多い。
（第４表の製剤ｇ，製剤ｈの喫食量は製剤ｆの場合を１００とした相対値、また同様に製剤ｊ，製剤ｋの喫食量は製剤ｉの場合を１００とした相対値である。また、供試食餌を前記第３表のものの代わりに製剤ｉ及び製剤ｊのサナギ粉の代わりにチキンパウダーとした製剤や製剤ｆ及び製剤ｇのコンブエキス粉の代わりにパンプキンパウダーとした製剤を用いて上記供試食餌としても（組合せ食餌の場合を含め）同様の結果が得られる。
【００４５】
比較例１
(1) 供試昆虫
１）クロゴキブリ 〔成虫、幼虫〕
２）チャバネゴキブリ〔成虫、幼虫〕
(2) 供試食餌
第５表に示すように、
調製されたベース食餌に、
・サナギ粉を添加した動物性食餌。
・コンブエキスパウダーを添加した植物性食餌。
・水分量が１０％である食餌。
・水分量が１％である食餌。
(3) 試験方法
個別の飼育容器内に、クロゴキブリの成虫、クロゴキブリの幼虫、チャバネゴキブリの成虫及びチャバネゴキブリの幼虫からなる個体群を入れた以外実施例１と同じ。
(4) 試験結果
上記の試験方法によって得られた試験結果を第５表に示す。
【００４６】
【表５】
0003909779.tif 000006
【００４７】
クロゴキブリの成虫は乾燥した食餌を好み、植物性食餌を好む。クロゴキブリの幼虫はあまり喫食しない。
チャバネゴキブリは成虫、幼虫とも動物性食餌を好む。チャバネゴキブリの成虫はやや水分の多い食餌を好む。
【００４８】
参考例２
第６表に示す各種誘引剤、動物性食餌基材、植物性食餌基材などを同表に示す処方に従って、顆粒イから顆粒ニの４種類を製造し、この４種類を各等量となるように配合し、合計０．８ｇの配合物を孔を設けたポリエステル製の袋に収めて１つの製剤とした。その孔は顆粒が外に出ない程度の大きさのものとする。
これを用いて、同様な大きさの袋に入れた市販の誘引剤を比較対照として誘引活性の比較試験を行った。直径１ｍの容器内に両方の誘引剤を離して置き、これにチャバネゴキブリ３００匹を放虫し、５分後にそれぞれの誘引剤のそばに誘引されている虫の数を計数した。
その結果、この誘引剤には市販の誘引剤に比べて約２倍数のチャバネゴキブリが誘引されていた。
【００４９】
【表６】
0003909779.tif 000007
【００５０】
【発明の効果】
本発明の組合わせ害虫誘引剤は、成分が異なる害虫誘引性を有する構成組成物が混ざり合うことなく、別々に複数存在して形成されており、また本発明の組合わせ害虫防除毒餌剤は、成分が異なる害虫防除性を有する構成組成物が混ざり合うことなく、別々に複数存在して形成されている。このため、異なった嗜好をもつ害虫を同時に誘引あるいは防除することができる。
害虫誘引剤や害虫防除毒餌剤は、異なった成分を有するものを組合せ結合した方が、（例え嗜好性の合致しているものでも、）ゴキブリの発育ステージ、種類、生息している環境の餌条件で変化する嗜好に対応することができ、単独に置かれている場合より防除効果は高くなる。
このため、本発明は、優れた害虫誘引剤や害虫防除毒餌剤がより安価に製造できるという利点を有するのみならず、害虫誘引剤や害虫防除毒餌剤を使用場所に設置するための労力も節減できるという利点を有する。
本発明の組合わせ害虫誘引剤や組合わせ害虫防除毒餌剤は、殆ど同じ成分を有する構成組成物の組合わせからなるもので、ただ構成組成物の吸水性が異なるため、含水量の異なる害虫誘引組成物の組合わせでなる害虫誘引剤（あるいは組合わせ害虫防除毒餌剤）であっても、より多種類の害虫を誘引（あるいは防除）できるという利点を有する。
本発明は前記水の代わりに、僅かに添加する（害虫に対する誘引性を増強する）香料の差であっても、また着色剤による色調の差によっても、より多種類の害虫を誘引（あるいは防除）できるという優れた利用価値を有する。
【図面の簡単な説明】
【図１】  二種の構成組成物が金太郎飴状に製剤された本発明の組合わせ害虫誘引剤の１例を示す斜視図（ａ）及び正面図（ｂ）である。
【図２】  三種の構成組成物が放射状に製剤された本発明の組合わせ害虫誘引剤の１例を示す斜視図（ａ）及び正面図（ｂ）である。
【図３】  二種の構成組成物が重層円盤状に製剤された本発明の組合わせ害虫誘引剤の１例を示す斜視図である。
【図４】  二種の異種の粒状構成組成物をモザイク状に埋込んで製剤された本発明の組合わせ害虫誘引剤の１例を示す斜視図である。
【図５】  二種の構成組成物を交互に組合わせ、絞り型状に成形して製剤された本発明の組合わせ害虫誘引剤の１例を示す斜視図である。
【図６】  構成組成物を組合わせ、結合して製剤された本発明の組合わせ害虫誘引剤の１例を示す斜視図である。
【図７】  参考例である、動物性誘引剤組成物の顆粒と植物性誘引剤組成物の顆粒の４種の顆粒を混合して袋に充填した顆粒混合製剤の縦断面図を示す。
【符号の説明】
１  構成組成物１
２  構成組成物２
３  構成組成物３
４  顆粒イ
５  顆粒ロ
６  顆粒ハ
７  顆粒ニ
８  袋
９  孔
【図１】
0003909779.tif 000008
【図２】
0003909779.tif 000009
【図３】
0003909779.tif 000010
【図４】
0003909779.tif 000011
【図５】
0003909779.tif 000012
【図６】
0003909779.tif 000013
【図７】
0003909779.tif 000014